(57)【要約】      （修正有）【課題】分割グロメット部材相互の合体作業が容易で、電線の捻れ等で分割グロメット部材が電線挿通口から脱落することを防止することができ、止水性能も向上させた合体型グロメットを提供する。【解決手段】複数の分割グロメット部材２０，３０を機器等の電線挿通口に取り付けて合体状態にし、電線挿通口に挿通させる複数組の電線群を組毎に各分割グロメット部材に担持させる合体型グロメット１０において、分割グロメット部材の突き合わせ外周面２２，３２には、突き合わせ外周面の延在方向に沿ってリブ構造の突起部２３ａ，３３ａを形成し、突起部が嵌合する窪み部３３ｂ，２３ｂが備えられ、突起部と窪み部との嵌合がラビリンスを形成して止水性能を向上させる。【選択図】図１
2014027787.tif 000002
【特許請求の範囲】
【請求項１】
複数の分割グロメット部材を備えると共に、各前記分割グロメット部材は、電線群を挿通可能な電線通し孔部と、合体相手となる他の前記分割グロメット部材上の突き合わせ外周面に突き合わされる突き合わせ外周面と、前記突き合わせ外周面同士が突き合わされたときに一方の前記突き合わせ外周面に突設した突起部と他方の前記突き合わせ外周面に凹んで形成された窪み部との嵌合によって前記突き合わせ外周面同士を位置決めする面位置決め機構と、を備え、
前記複数の分割グロメット部材を機器等の電線挿通口に取り付けて合体状態にし、前記電線挿通口に挿通させる複数組の電線群を組毎に各前記分割グロメット部材に担持させる合体型グロメットであって、
前記突起部が前記突き合わせ外周面の延在方向に沿って延在する隆起構造（リブ構造）に形成され、前記突起部と前記窪み部との嵌合が、前記突き合わせ外周面間の止水性能を向上させるラビリンスを形成することを特徴とする合体型グロメット。
【請求項２】
前記突起部及び前記窪み部には、相互の嵌合時に摺り合わせ状態となって求心性を発揮する傾斜面を備えたことを特徴とする請求項１に記載の合体型グロメット。
【請求項３】
互いに突き合わされる一対の突き合わせ外周面には、前記突起部と前記窪み部との嵌合部が千鳥状に並ぶことを特徴とする請求項１又は請求項２に記載の合体型グロメット。
【発明の詳細な説明】
【技術分野】
【０００１】
本発明は、複数の分割グロメット部材を機器等の電線挿通口に取り付けて合体状態にし、前記電線挿通口に挿通させる複数組の電線群を組毎に各分割グロメット部材に担持させる合体型グロメットに関する。
【背景技術】
【０００２】
図５は、下記特許文献１に開示された合体型グロメットを示している。
図５に示した合体型グロメット１０１は、第１分割グロメット部材１１１と第２分割グロメット部材１２１との２つの分割グロメット部材を備えている。
【０００３】
２つの分割グロメット部材１１１，１２１は、図６及び図７に示すように、電線通し孔部１１３，１２３と、突き合わせ外周面１１４，１２４と、面位置決め機構１１５，１２５と、を備えている。
【０００４】
電線通し孔部１１３，１２３は、電線群を挿通可能な孔部である。特許文献１の場合、電線通し孔部１１３，１２３は、筒状部材１１６，１２６により提供されている。
【０００５】
突き合わせ外周面１１４，１２４は、第１分割グロメット部材１１１と第２分割グロメット部材１２１とを合体させる際に、互いに突き合わせられる各分割グロメット部材上の外周面である。
【０００６】
これらの突き合わせ外周面１１４と突き合わせ外周面１２４は、図６及び図７に示す矢印Ｚ１方向に、突き合わされる。
【０００７】
面位置決め機構１１５は、図７に示すように、突き合わせ外周面１１４に突設された突起部１１５ａと、突き合わせ外周面１１４に凹んで形成された窪み部１１５ｂとを備える。また、面位置決め機構１２５は、図６に示すように、突き合わせ外周面１２４に突設された突起部１２５ａと、突き合わせ外周面１２４に凹んで形成された窪み部１２５ｂとを備える。
【０００８】
特許文献１の場合、突起部１１５ａ，１２５ａは、いずれも、細い円柱状のピンである。また、窪み部１１５ｂ，１２５ｂは、いずれも、円柱状のピンが嵌合する孔である。
【０００９】
突き合わせ外周面１１４と突き合わせ外周面１２４とを突き合わせると、突起部１１５ａが窪み部１２５ｂに嵌合し、突起部１２５ａが窪み部１１５ｂに嵌合することで、突き合わせ外周面１１４，１２４同士が正確に位置決めされる。
【００１０】
特許文献１の合体型グロメット１０１は、図５に示したように２つの分割グロメット部材１１１，１２１を機器等の電線挿通口に取り付けて合体状態にする。また、図５に示したように、機器等の電線挿通口に挿通させる二組の電線群１４１，１４２を、それぞれの電線通し孔部１１３，１２３に挿通して、それぞれの組毎に各分割グロメット部材１１１，１２１に担持させることで、系統（組）毎に分別した電線群の支持が可能になる。
【００１１】
なお、各分割グロメット部材１１１，１２１の電線通し孔部１１３，１２３に挿通させた電線群１４１，１４２は、図５に示すように、テープ巻き１５１を施すことで、筒状部材１１６，１２６に固定する。
【先行技術文献】
【特許文献】
【００１２】
【特許文献１】特開２００９−２９０９５６号公報
【発明の概要】
【発明が解決しようとする課題】
【００１３】
ところが、特許文献１の合体型グロメット１０１の場合、面位置決め機構１１５，１２５における突起部１１５ａ，１２５ａが細い円柱状のピンで、小さい部材のため、嵌合相手となる窪み部１１５ｂ，１２５ｂに位置を整合させることが容易ではない。そのため、第１分割グロメット部材１１１と第２分割グロメット部材１２１との合体作業に手間がかかるという問題があった。
【００１４】
このような問題を解決するべく、本願出願人は、図８及び図９に示す合体型グロメット２０１を考案した。
【００１５】
この合体型グロメット２０１は、２つの分割グロメット部材２１１，２２１を備えると共に、各分割グロメット部材２１１，２２１は、電線群を挿通可能な電線通し孔部２１２，２２２と、合体相手となる他の分割グロメット部材上の突き合わせ外周面２２３，２１３に突き合わされる突き合わせ外周面２１３，２２３と、を備える。また、各分割グロメット部材２１１，２２１は、図８に示すように機器等のパネル２３１の電線挿通口に取り付ける際に、パネル２３１の電線挿通口の縁部２３４を嵌合させる挿通口取付溝２１４，２２４を外周面に備えているが、互いの突き合わせ外周面２１３，２２３相互を位置合わせするための面位置決め機構は省略している。
【００１６】
そして、複数の分割グロメット部材２１１，２２１を機器等のパネル２３１の電線挿通口に取り付けて合体状態にし、各分割グロメット部材の電線挿通口に挿通させる複数組の電線群を組毎に各分割グロメット部材２１１，２２１に担持させる。
【００１７】
図８及び図９に示した合体型グロメット２０１の場合、互いの突き合わせ外周面２１３，２２３相互を位置合わせするための面位置決め機構は省略したことによって、分割グロメット部材相互の合体作業を容易にすることができる。
【００１８】
ところが、前述のいずれの合体型グロメット１０１，２０１の場合も、分割グロメット部材相互間における突き合わせ外周面同士の結合力が弱いため、複数の電線群に捻れが作用した際に、分割グロメット部材相互が位置ずれして、分割グロメット部材がパネル２３１の電線挿通口から脱落してしまうおそれがあった。
【００１９】
更に、いずれの合体型グロメット１０１，２０１の場合も、突き合わせ外周面同士が略平らな面であり、突き合わされた突き合わせ外周面間には、これらの突き合わせ外周面間に浸入した水を止水するような段差構造や屈曲壁構造が存在しない。
【００２０】
そのため、突き合わせ外周面同士が完全に密着状態になっていないと、これらの外周面間の止水性能が低く、これらの外周面間の隙間を通って、機器等の内部に浸水するおそれがあった。
【００２１】
そこで、本発明の目的は、上記課題を解消することに係り、複数の分割グロメット部材を電線挿通口に取り付けて合体状態にし、電線挿通口に挿通させる複数組の電線群を組毎に各分割グロメット部材に担持させる合体型グロメットであって、分割グロメット部材相互の合体作業を容易にすることができ、しかも、電線の捻れ等で分割グロメット部材が前記電線挿通口から脱落することを防止することができ、また、合体させた分割グロメット部材相互の突き合わせ外周面間の止水性能を向上させることができる合体型グロメットを提供することにある。
【課題を解決するための手段】
【００２２】
本発明の前述した目的は、下記の構成により達成される。
（１）  複数の分割グロメット部材を備えると共に、各前記分割グロメット部材は、電線群を挿通可能な電線通し孔部と、合体相手となる他の前記分割グロメット部材上の突き合わせ外周面に突き合わされる突き合わせ外周面と、前記突き合わせ外周面同士が突き合わされたときに一方の前記突き合わせ外周面に突設した突起部と他方の前記突き合わせ外周面に凹んで形成された窪み部との嵌合によって前記突き合わせ外周面同士を位置決めする面位置決め機構と、を備え、
前記複数の分割グロメット部材を機器等の電線挿通口に取り付けて合体状態にし、前記電線挿通口に挿通させる複数組の電線群を組毎に各前記分割グロメット部材に担持させる合体型グロメットであって、
前記突起部が前記突き合わせ外周面の延在方向に沿って延在する隆起構造（リブ構造）に形成され、前記突起部と前記窪み部との嵌合が、前記突き合わせ外周面間の止水性能を向上させるラビリンスを形成することを特徴とする合体型グロメット。
【００２３】
（２）  前記突起部及び前記窪み部には、相互の嵌合時に摺り合わせ状態となって求心性を発揮する傾斜面を備えたことを特徴とする上記（１）に記載の合体型グロメット。
【００２４】
（３）  互いに突き合わされる一対の突き合わせ外周面には、前記突起部と前記窪み部との嵌合部が千鳥状に並ぶことを特徴とする上記（１）又は（２）に記載の合体型グロメット。
【００２５】
上記（１）の構成によれば、合体させる分割グロメット部材相互の突き合わせ外周面同士を位置決めする面位置決め機構の突起部が、突き合わせ外周面の延在方向に沿って延在する隆起構造（リブ構造）に形成されていて、突起部が細い円柱状のピンであった従来の場合と比較すると、突起部の寸法が大きくなって視認し易くなり、それに伴い、嵌合相手となる窪み部へ位置を整合させることが容易になる。そのため、分割グロメット部材相互の合体作業を容易にすることができる。
【００２６】
また、上記（１）の構成によれば、分割グロメット部材相互の突き合わせ外周面同士を位置決めする面位置決め機構の突起部及び窪み部が大型化されて、合体する分割グロメット部材間における突き合わせ外周面同士の結合力が向上している。そのため、複数の電線群に捻れが作用しても、その捻れ力によって分割グロメット部材相互が位置ずれすることを防止することができる。従って、電線群に作用する捻れ力によって分割グロメット部材が機器等における電線挿通口から脱落することを防止することができる。
【００２７】
また、上記（１）の構成によれば、面位置決め機構の突起部が突き合わせ外周面の延在方向に沿って延在する隆起構造（リブ構造）に形成されていて、突起部と窪み部とを嵌合させた状態では、突起部が、突き合わせ外周面間における水の流れをせき止める段差壁あるいは障壁として機能し、窪み部との間に、突き合わせ外周面間の止水性能を向上させるラビリンスを形成する。
【００２８】
そのため、突き合わせ外周面相互が完全に密着状態になっていなくとも、合体させた分割グロメット部材相互の突き合わせ外周面間にある程度の止水性能を確保することができ、突き合わせ外周面間における止水性能の向上を図ることができる。
【００２９】
上記（２）の構成によれば、分割グロメット部材相互の合体操作時には、作業者が特に意識せずとも、面位置決め機構における突起部及び窪み部に設けた傾斜面同士の摺り合わせが発生して、分割グロメット部材相互間における位置ずれが自動的に修正されるため、分割グロメット部材相互の合体作業を更に容易にすることができる。
【００３０】
上記（３）の構成によれば、面位置決め機構における突起部と窪み部との嵌合部が千鳥状に並ぶことで、千鳥状の配列の一側に発生している突起部の途切れ区間には、千鳥状の配列の他側の突起部が対向している。そのため、千鳥状の配列の幅内では、止水性能の向上に有用な嵌合部が全く存在しない区間がなくなる。
【００３１】
換言すると、嵌合部の装備数が少なくとも、突き合わせ外周面の略全長に渡って、突き合わせ外周面相互間における止水性能の向上を図ることができる。
【発明の効果】
【００３２】
本発明による合体型グロメットによれば、合体させる分割グロメット部材相互の突き合わせ外周面同士を位置決めする面位置決め機構の突起部が、突き合わせ外周面の延在方向に沿って延在する隆起構造（リブ構造）に形成されていて、突起部が細い円柱状のピンであった従来の場合と比較すると、突起部の寸法が大きくなって視認し易くなり、それに伴い、嵌合相手となる窪み部へ位置を整合させることが容易になる。そのため、分割グロメット部材相互の合体作業を容易にすることができる。
【００３３】
また、本発明による合体型グロメットによれば、分割グロメット部材相互の突き合わせ外周面同士を位置決めする面位置決め機構の突起部及び窪み部が大型化されて、合体する分割グロメット間における突き合わせ外周面同士の結合力が向上している。そのため、複数の電線群に捻れが作用しても、その捻れ力によって分割グロメット部材相互が位置ずれすることを防止することができる。従って、電線群に作用する捻れ力によって分割グロメット部材が機器等における電線挿通口から脱落することを防止することができる。
【００３４】
また、本発明による合体型グロメットによれば、面位置決め機構の突起部が突き合わせ外周面の延在方向に沿って延在する隆起構造（リブ構造）に形成されていて、更に、面位置決め機構における突起部と窪み部との嵌合が、突き合わせ外周面間における水の流れをせき止める段差壁あるいは障壁となり、突き合わせ外周面間の止水性能を向上させるラビリンスを形成する。
【００３５】
そのため、突き合わせ外周面相互が完全に密着状態になっていなくとも、合体させた分割グロメット部材相互の突き合わせ外周面間にある程度の止水性能を確保することができ、突き合わせ外周面間における止水性能の向上を図ることができる。
【００３６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３７】
【図１】本発明に係る合体型グロメットの第１実施形態の分解斜視図である。
【図２】図１のＡ−Ａ断面図である。
【図３】本発明に係る合体型グロメットの第２実施形態の分解斜視図である。
【図４】図３のＢ−Ｂ断面図である。
【図５】従来の合体型グロメットの斜視図である。
【図６】図５に示した第１分割グロメット部材及び第２分割グロメット部材の斜視図である。
【図７】図５に示した第１分割グロメット部材及び第２分割グロメット部材の図６とは別の角度から視た斜視図である。
【図８】従来の合体型グロメットの問題点の１つを解決するために本願出願人が考案した合体型グロメットの機器のパネルに取り付けた状態の斜視図である。
【図９】図８に示した各分割グロメット部材の分解斜視図である。
【発明を実施するための形態】
【００３８】
以下、本発明に係る合体型グロメットの好適な実施形態について、図面を参照して詳細に説明する。
【００３９】
［第１実施形態］
図１及び図２は本発明に係る合体型グロメットの第１実施形態を示したもので、図１は本発明の第１実施形態の合体型グロメットの分解斜視図、図２は図１のＡ−Ａ断面図である。
【００４０】
この第１実施形態の合体型グロメット１０は、図１に示すように、第１分割グロメット部材２０と、第２分割グロメット部材３０と、の２つの分割グロメット部材を備えている。
【００４１】
２つの分割グロメット部材２０，３０は、電線通し孔部２１，３１と、突き合わせ外周面２２，３２と、面位置決め機構２３，３３と、挿通口取付溝２４，３４と、を備えている。
【００４２】
電線通し孔部２１，３１は、電線群を挿通可能な孔部である。それぞれの分割グロメット部材２０，３０は、一側面（図１では、上部側面）に、電線通し孔部２１，３１を外部に連通させるすり割り部２５，３５を備えている。
【００４３】
すり割り部２５，３５は、電線群を外側から電線通し孔部２１，３１に割り込ませる際に使用される。
【００４４】
本実施形態の場合、図２に示すように、それぞれの電線通し孔部２１，３１の一端には、電線固定桿２６，３６が装備されている。
【００４５】
これらの電線固定桿２６，３６は、電線通し孔部２１，３１を挿通した電線群をテープ巻きで固定する部位である。なお、本実施形態の場合、それぞれの電線固定桿２６，３６は、電線群を縦添えし易いように、樋状の構造になっている。
【００４６】
突き合わせ外周面２２，３２は、第１分割グロメット部材２０と第２分割グロメット部材３０とを合体させる際に、互いに突き合わせられる各分割グロメット部材上の外周面である。これらの突き合わせ外周面２２，３２は、図１及び図２に示す矢印Ｚ２方向に突き合わされる。
【００４７】
面位置決め機構２３は、図１及び図２に示すように、突き合わせ外周面２２に突設された突起部２３ａと、突き合わせ外周面２２に凹んで形成された窪み部２３ｂとを備える。
また、面位置決め機構３３は、図１及び図２に示すように、突き合わせ外周面３２に突設された突起部３３ａと、突き合わせ外周面３２に凹んで形成された窪み部３３ｂとを備える。
【００４８】
面位置決め機構２３，３３は、図１及び図２に示すように、対向させられた突き合わせ外周面２２，３２同士が突き合わされたときに、突き合わせ外周面２２に突設した突起部２３ａと突き合わせ外周面３２に凹んで形成された窪み部３３ｂとの嵌合、及び突き合わせ外周面３２に突設した突起部３３ａと突き合わせ外周面２２に凹んで形成された窪み部２３ｂとの嵌合によって、突き合わせ外周面２２，３２同士を位置決めする。
【００４９】
本実施形態の場合、突き合わせ外周面２２に突設した突起部２３ａと突き合わせ外周面３２に突設した突起部３３ａは、いずれも、突き合わせ外周面２２，３２の延在方向（図１の矢印Ｘ方向）に沿って延在する隆起構造（リブ構造）に形成されている。
【００５０】
また、本実施形態の場合、突起部２３ａと突起部３３ａは、大きさ及び形状が一致している（即ち、同一構造である）。従って、窪み部３３ｂと窪み部２３ｂも、大きさ及び形状が一致している。
【００５１】
更に、突起部２３ａ，３３ａが突き合わせ外周面２２，３２の延在方向に沿って延在する隆起構造（リブ構造）に形成されたことで、突起部２３ａ，３３ａと窪み部３３ｂ，２３ｂとの嵌合は、突き合わせ外周面２２，３２間における水の浸入方向（図２の矢印Ｙ方向）に対して屈曲した微少隙間を形成する。即ち、突起部２３ａ，３３ａと窪み部３３ｂ，２３ｂとの嵌合が、突き合わせ外周面２２，３２間の止水性能を向上させるラビリンス（迷路状の隙間）を形成する。
【００５２】
また、本実施形態の場合、図１及び図２に示すように、突起部２３ａ，３３ａ及び窪み部２３ｂ，３３ｂには、傾斜面Ｃが備えられている。傾斜面Ｃは、突起部２３ａ，３３ａ及び窪み部２３ｂ，３３ｂの相互の嵌合時に摺り合わせ状態となって、求心性を発揮する。
【００５３】
更に、本実施形態の場合、互いに突き合わされる一対の突き合わせ外周面２２，３２には、突起部２３ａ，３３ａや窪み部３３ｂ，２３ｂが、千鳥状の配列で装備されている。具体的には、図１に示す第２分割グロメット部材３０の突き合わせ外周面３２上では、突起部３３ａを互いに平行な２本の直線Ｌ１，Ｌ２上に交互に配置することで、千鳥状の配列としている。第１分割グロメット部材２０の突き合わせ外周面２２上における突起部２３ａも、同様に千鳥状の配置となっている。
【００５４】
そして、突起部２３ａ，３３ａを千鳥状に配列したことに対応して、窪み部３３ｂ，２３ｂの配列も千鳥状の配列に設定されている。
【００５５】
挿通口取付溝２４，３４は、機器等のケース（パネル）に形成された電線挿通口の縁部に嵌合させることで、それぞれの分割グロメット部材２０，３０を前記電線挿通口に固定する。挿通口取付溝２４は、突き合わせ外周面２２の両側に対向する両外側面２７ａ，２７ｂに形成されている。また、挿通口取付溝３４は、図２に示すように、第２分割グロメット部材３０における外周面の突き合わせ外周面３２を除く範囲となる外側面３７に形成されている。
【００５６】
以上に説明した本実施形態の合体型グロメット１０は、２つの分割グロメット部材２０，３０を合体させた状態で機器等の電線挿通口に取り付けられて、前記電線挿通口に挿通させる複数組の電線群を組毎に各分割グロメット部材２０，３０に担持させる。
【００５７】
以上に説明した第１実施形態の合体型グロメット１０の場合、合体させる分割グロメット部材２０，３０相互の突き合わせ外周面２２，３２同士を位置決めする面位置決め機構２３，３３の突起部２３ａ，３３ａが、突き合わせ外周面２２，３２の延在方向に沿って延在する隆起構造（リブ構造）に形成されていて、突起部が細い円柱状のピンであった従来の場合と比較すると、突起部２３ａ，３３ａの寸法が大きくなって視認し易くなっている。そして、その視認の容易性により、嵌合相手となる窪み部３３ｂ，２３ｂへ位置を整合させることが容易になる。そのため、分割グロメット部材２０，３０相互の合体作業を容易にすることができる。
【００５８】
また、以上に説明した第１実施形態の合体型グロメット１０の場合、分割グロメット部材２０，３０相互の突き合わせ外周面２２，３２同士を位置決めする面位置決め機構２３，３３の突起部２３ａ，３３ａ及び窪み部３３ｂ，２３ｂが大型化されて、合体する分割グロメット部材２０，３０間における突き合わせ外周面２２，３２同士の結合力が向上している。そのため、複数の電線群に捻れが作用しても、その捻れ力によって分割グロメット部材２０，３０相互が位置ずれすることを防止することができる。従って、電線群に作用する捻れ力によって分割グロメット部材２０，３０が機器等における電線挿通口から脱落することを防止することができる。
【００５９】
また、以上に説明した第１実施形態の合体型グロメット１０の場合、面位置決め機構２３，３３の突起部２３ａ，３３ａが突き合わせ外周面２２，３２の延在方向に沿って延在する隆起構造（リブ構造）に形成されていて、突起部２３ａ，３３ａと窪み部３３ｂ，２３ｂとを嵌合させた状態では、突起部２３ａ，３３ａが、突き合わせ外周面２２，３２間における水の流れをせき止める段差壁あるいは障壁として機能し、窪み部３３ｂ，２３ｂとの間に、突き合わせ外周面２２，３２間の止水性能を向上させるラビリンスを形成する。
【００６０】
そのため、突き合わせ外周面２２，３２相互が完全に密着状態になっていなくとも、合体させた分割グロメット部材２０，３０相互の突き合わせ外周面２２，３２間にある程度の止水性能を確保することができ、突き合わせ外周面２２，３２間における止水性能の向上を図ることができる。
【００６１】
また、以上に説明した第１実施形態の合体型グロメット１０の場合、分割グロメット部材２０，３０相互の合体操作時には、作業者が特に意識せずとも、面位置決め機構２３，３３における突起部２３ａ，３３ａ及び窪み部３３ｂ，２３ｂに設けた傾斜面Ｃ同士の摺り合わせが発生して、分割グロメット部材２０，３０相互間における位置ずれが自動的に修正されるため、分割グロメット部材２０，３０相互の合体作業を更に容易にすることができる。
【００６２】
また、以上に説明した第１実施形態の合体型グロメット１０の場合、面位置決め機構２３，３３における突起部２３ａ，３３ａと窪み部３３ｂ，２３ｂとの嵌合部が千鳥状に並ぶことで、千鳥状の配列の一側（例えば、図１の直線Ｌ１側）に発生している突起部の途切れ区間Ｋ１には、千鳥状の配列の他側（例えば、図１の直線Ｌ２側）の嵌合部突起部が対向している。そのため、千鳥状の配列の幅内（図１の直線Ｌ１と直線Ｌ２とで挟まれる幅Ｗ（図１参照）内）では、止水性能の向上に有用な嵌合部（突起部）が全く存在しない区間がなくなる。
【００６３】
換言すると、嵌合部の装備数が少なくとも、図１の矢印Ｘ方向に延在する突き合わせ外周面２２，３２の略全長に渡って、突き合わせ外周面２２，３２相互間における止水性能の向上を図ることができる。
【００６４】
［第２実施形態］
図３及び図４は本発明に係る合体型グロメットの第２実施形態を示したもので、図３は本発明に係る合体型グロメットの第２実施形態の分解斜視図、図４は図３のＢ−Ｂ断面図である。
【００６５】
この第２実施形態の合体型グロメット１０Ａは、図３に示すように、第１分割グロメット部材２０Ａと、第２分割グロメット部材３０Ａと、の２つの分割グロメット部材を備えている。
【００６６】
２つの分割グロメット部材２０Ａ，３０Ａは、第１実施形態における分割グロメット部材２０，３０の一部を改良したもので、基本的な構成は第１実施形態のものと同様であり、同様な構成については同番号を付して説明を省略する。
【００６７】
第２実施形態における分割グロメット部材２０Ａ，３０Ａの改良点は、それぞれの分割グロメット部材２０Ａ，３０Ａの突き合わせ外周面２２，３２に装備する突起部２３ａ，３３ａ及び窪み部３３ｂ，２３ｂの数量と、配置である。
【００６８】
この第２実施形態では、各突き合わせ外周面２２，３２に装備する突起部及び窪み部の数量を、それぞれ１個ずつに規制している。また、各突き合わせ外周面２２，３２上では、突起部と窪み部とが、各突き合わせ外周面２２，３２の延在方向（図３の矢印Ｘ２方向）に沿って直列に並ぶ配置になっている。
【００６９】
なお、第２実施形態の場合も、突起部２３ａ，３３ａが突き合わせ外周面２２，３２の延在方向（図３の矢印Ｘ２方向）に沿って延在する隆起構造（リブ構造）に形成されている。そして、突起部２３ａ，３３ａと窪み部３３ｂ，２３ｂとの嵌合は、突き合わせ外周面２２，３２間における水の浸入方向（図４の矢印Ｙ２方向）に対して屈曲した微少隙間を形成する。即ち、突起部２３ａ，３３ａと窪み部３３ｂ，２３ｂとの嵌合が、突き合わせ外周面２２，３２間の止水性能を向上させるラビリンスを形成する。
【００７０】
また、突起部２３ａと突起部３３ａとは、大きさ及び形状が一致している。従って、窪み部３３ｂと窪み部２３ｂも、大きさ及び形状が一致している。
【００７１】
また、第２実施形態の場合も、突起部２３ａ，３３ａ及び窪み部２３ｂ，３３ｂには、相互の嵌合時に摺り合わせ状態となって求心性を発揮する傾斜面Ｃが設けられている。
【００７２】
図３及び図４に示した第２実施形態の合体型グロメット１０Ａの場合も、突起部２３ａ，３３ａが、突き合わせ外周面２２，３２の延在方向に沿って延在する隆起構造（リブ構造）に形成されていて、突起部が細い円柱状のピンであった従来の場合と比較すると、突起部２３ａ，３３ａの寸法が大きくなって視認し易くなっている。そして、その視認の容易性により、嵌合相手となる窪み部３３ｂ，２３ｂへ位置を整合させることが容易になる。そのため、分割グロメット部材２０，３０相互の合体作業を容易にすることができる。
【００７３】
また、図３及び図４に示した第２実施形態の合体型グロメット１０Ａの場合も、分割グロメット部材２０Ａ，３０Ａ相互の突き合わせ外周面２２，３２同士を位置決めする面位置決め機構２３，３３の突起部２３ａ，３３ａ及び窪み部３３ｂ，２３ｂが大型化されて、合体する分割グロメット部材２０Ａ，３０Ａ間における突き合わせ外周面２２，３２同士の結合力が向上している。そのため、複数の電線群に捻れが作用しても、その捻れ力によって分割グロメット部材２０Ａ，３０Ａ相互が位置ずれすることを防止することができる。従って、電線群に作用する捻れ力によって分割グロメット部材２０Ａ，３０Ａが機器等における電線挿通口から脱落することを防止することができる。
【００７４】
また第２実施形態の合体型グロメット１０Ａの場合も、突起部２３ａ，３３ａと窪み部３３ｂ，２３ｂとを嵌合させた状態では、突起部２３ａ，３３ａが、突き合わせ外周面２２，３２間における水の流れをせき止める段差壁あるいは障壁として機能し、窪み部３３ｂ，２３ｂとの間に、突き合わせ外周面２２，３２間の止水性能を向上させるラビリンスを形成する。
【００７５】
そのため、突き合わせ外周面２２，３２相互が完全に密着状態になっていなくとも、合体させた分割グロメット部材２０Ａ，３０Ａ相互の突き合わせ外周面２２，３２間にある程度の止水性能を確保することができ、突き合わせ外周面２２，３２間における止水性能の向上を図ることができる。すなわち、突起部２３ａ，３３ａと窪み部２３ｂ，３３ｂとの嵌合領域において、止水性能の向上を図ることができる。
【００７６】
また、第２実施形態の合体型グロメット１０Ａの場合も、分割グロメット部材２０，３０相互の合体操作時には、作業者が特に意識せずとも、面位置決め機構２３，３３における突起部２３ａ，３３ａ及び窪み部３３ｂ，２３ｂに設けた傾斜面Ｃ同士の摺り合わせが発生して、分割グロメット部材２０Ａ，３０Ａ相互間における位置ずれが自動的に修正されるため、分割グロメット部材２０Ａ，３０Ａ相互の合体作業を更に容易にすることができる。
【００７７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７８】
例えば、前述した各実施形態では、第１分割グロメット部材に装備する突起部２３ａと、第２分割グロメット部材に装備する突起部３３ａとを、同一構造とした。しかし、突起部２３ａと突起部３３ａとを互いに異なる構造としても良い。
【００７９】
また、前述した各実施形態では、合体型グロメットを２つの分割グロメット部材から構成した。しかし、合体型グロメットを３つ以上の分割グロメット部材の合体構造とすることもできる。
【００８０】
ここで、上述した本発明に係るグロメットの実施形態の特徴をそれぞれ以下［１］〜［３］に簡潔に纏めて列記する。
【００８１】
［１］  複数の分割グロメット部材（２０，３０）を備えると共に、各前記分割グロメット部材（２０，３０）は、電線群を挿通可能な電線通し孔部（２１，３１）と、合体相手となる他の前記分割グロメット部材（２０，３０）上の突き合わせ外周面（２２，３２）に突き合わされる突き合わせ外周面（２２，３２）と、前記突き合わせ外周面（２２，３２）同士が突き合わされたときに一方の前記突き合わせ外周面（２２，３２）に突設した突起部（２３ａ，３３ａ）と他方の前記突き合わせ外周面（２２，３２）に凹んで形成された窪み部（３３ｂ，２３ｂ）との嵌合によって前記突き合わせ外周面（２２，３２）同士を位置決めする面位置決め機構（２３，３３）と、を備え、
前記複数の分割グロメット部材（２０，３０）を機器等の電線挿通口に取り付けて合体状態にし、前記電線挿通口に挿通させる複数組の電線群を組毎に各前記分割グロメット部材（２０，３０）に担持させる合体型グロメット（１０）であって、
前記突起部（２３ａ，３３ａ）が前記突き合わせ外周面（２２，３２）の延在方向に沿って延在する隆起構造（リブ構造）に形成され、前記突起部（２３ａ，３３ａ）と前記窪み部（３３ｂ，２３ｂ）との嵌合が、前記突き合わせ外周面（２２，３２）間の止水性能を向上させるラビリンスを形成することを特徴とする合体型グロメット（１０）。
【００８２】
［２］  前記突起部（２３ａ，３３ａ）及び前記窪み部（３３ｂ，２３ｂ）には、相互の嵌合時に摺り合わせ状態となって求心性を発揮する傾斜面（Ｃ）を備えたことを特徴とする上記［１］に記載の合体型グロメット（１０）。
【００８３】
［３］  互いに突き合わされる一対の突き合わせ外周面（２２，３２）には、前記突起部（２３ａ，３３ａ）と前記窪み部（３３ｂ，２３ｂ）との嵌合部が千鳥状に並ぶことを特徴とする上記［１］又は［２］に記載の合体型グロメット（１０）。
【符号の説明】
【００８４】
１０  合体型グロメット
２０，３０  分割グロメット部材
２１，３１  電線通し孔部
２２，３２  突き合わせ外周面
２３，３３  面位置決め機構
２３ａ，３３ａ  突起部
２３ｂ，３３ｂ  窪み部
Ｃ  傾斜面
【図１】
2014027787.tif 000003
【図２】
2014027787.tif 000004
【図３】
2014027787.tif 000005
【図４】
2014027787.tif 000006
【図５】
2014027787.tif 000007
【図６】
2014027787.tif 000008
【図７】
2014027787.tif 000009
【図８】
2014027787.tif 000010
【図９】
2014027787.tif 000011